(57)【要約】  シリンジプランジャ（２０）用の背板アダプタ（１０）。背板アダプタ（１０）は、シリンジプランジャ（２０）と係合するのに適した第１端部（２６）を含み、前記第１端部（２６）の一部は窪みを画定する。背板アダプタ（１０）は、さらに、そこから突出する延長部（１２）を有する第２端部（２８）を含む。延長部（１２）は、シャフト部（１４）およびキャップ部（１６）を含む。キャップ部（１６）の断面は、第１の形状を有し、前記第１端部（２６）によって画定された窪みは、第１の形状と相補的な形状を有する。
2008531128.tif 000002
【特許請求の範囲】
【請求項１】
シリンジプランジャと係合するのに適した第１端部と、
そこから突出する延長部を含む第２端部とを含み、
前記延長部の長手方向の軸を横断してとった前記延長部の少なくとも一部の断面が第１の形状を有し、前記第１の形状が非円形であるシリンジプランジャ用背板アダプタ。
【請求項２】
前記第１端部の一部が窪みを画定し、
前記第２端部の前記延長部はシャフト部およびキャップ部を含み、
前記延長部の断面は、前記キャップ部の断面であり、前記第１端部により画定された前記窪みは、前記第１の形状と相補的な形状を有する請求項１の背板アダプタ。
【請求項３】
前記延長部の長手方向の軸を横断してとった前記第１端部の一部の前記断面は、前記窪みの第１の面積を呈し、
前記キャップ部の前記断面は、第２の面積を呈する請求項２の背板アダプタ。
【請求項４】
前記第１の面積は、前記第２の面積より大きい請求項３の背板アダプタ。
【請求項５】
前記相補的な形状は、前記第１の形状である請求項２の背板アダプタ。
【請求項６】
第１端部および第２端部を含み、前記第２端部がそこから突出する延長部を含み、前記延長部がシャフト部およびキャップ部を含み、前記延長部の長手方向の軸を横断してとった前記キャップ部の断面が第１の形状を有する第１背板アダプタと、
第１端部および第２端部を含み、前記第１端部の一部が窪みを画定し、前記第１端部によって画定された前記窪みが前記第１の形状と相補的な形状を有する第２背板アダプタとを含む複数の背板アダプタ。
【請求項７】
前記第２背板アダプタの前記窪みは、前記第１背板アダプタの前記キャップ部を受け入れるのに適する請求項６の複数の背板アダプタ。
【請求項８】
前記第１背板アダプタの前記第１端部は、さらに、窪みを画定する前記第１端部の一部を含む請求項６の複数の背板アダプタ。
【請求項９】
前記第１背板アダプタの前記窪みは、前記第１の形状と相補的な形状を有する請求項８の複数の背板アダプタ。
【請求項１０】
前記第２背板アダプタの前記第２端部は、そこから突出する延長部を含み、前記延長部は、シャフト部およびキャップ部を含む請求項６の複数の背板アダプタ。
【請求項１１】
前記第２背板アダプタの前記キャップ部の断面は、前記第１の形状と相補的な形状を有する請求項１０の複数の背板アダプタ。
【請求項１２】
筒を含むシリンジと、
前記シリンジの前記筒の中に配置されるのに適するシリンジプランジャと、
第１端部および第２端部を含む第１背板アダプタとを含み、
前記第１端部は前記プランジャと係合するのに適し、前記第１端部の一部は窪みを画定し、前記第２端部はそこから突出する延長部を含み、前記延長部はシャフト部およびキャップ部を含み、前記延長部の長手方向の軸を横断してとった前記キャップ部の断面は第１の形状を有し、前記第１端部によって画定された前記窪みは前記第１の形状と相補的な形状を有する注射システム。
【請求項１３】
第１端部および第２端部を含む第２背板アダプタをさらに含み、前記第１端部の一部は窪みを画定し、前記第１端部によって画定された前記窪みは前記第１の形状と相補的な形状を有する請求項１２の注射システム。
【請求項１４】
前記第２背板アダプタの前記窪みは、前記第１背板アダプタの前記キャップ部を受け入れるのに適する請求項１３の注射システム。
【請求項１５】
前記第１背板アダプタの前記第１端部は、さらに、窪みを画定する第１端部の部分を含む請求項１３の注射システム。
【請求項１６】
前記第１背板アダプタの前記窪みは、前記第１の形状と相補的な形状を有する請求項１５の注射システム。
【請求項１７】
前記第１背板アダプタの前記第２端部は、そこから突出する延長部を含み、前記延長部は、さらに、シャフト部およびキャップ部を含む請求項１３の注射システム。
【請求項１８】
前記第２背板アダプタの前記キャップ部の断面は、前記第１の形状と相補的な形状を有する請求項１７の注射システム。
【請求項１９】
第１端部および第２端部を有し、前記第１端部はシリンジプランジャと係合するのに適し、前記第１端部は窪みを画定し、前記第２端部はそこから突出する延長部を含み、前記延長部はシャフト部およびキャップ部を含み、前記延長部の長手方向の軸を横断してとった前記キャップ部の断面は第１の形状を有し、前記第１端部によって画定された前記窪みは前記第１の形状と相補的な形状を有するシリンジプランジャ用の第１背板アダプタを準備することと、
シリンジプランジャを準備することと、
前記第１背板アダプタの前記シリンジプランジャと結合するように配置することとを含む、背板アダプタとシリンジプランジャとの組み合わせの操作方法。
【請求項２０】
前記第１背板アダプタの前記第１端部は第１のねじを含み、前記シリンジプランジャの一部は第２のねじを含み、前記第１のねじは前記第２のねじに適合し、前記第１背板アダプタを前記シリンジプランジャと結合するように配置し、さらに、前記第１のねじを前記第２のねじと螺合させることを含む請求項１９の方法。
【請求項２１】
前記第１のねじを前記第２のねじと螺合させることは、さらに、前記第１のねじおよび前記第２のねじを互いの受け入れ関係に配置することと、前記第１背板アダプタを前記シリンジプランジャに対して第１の方向に回転させることとを含む請求項２０の方法。
【請求項２２】
さらに、第１端部および第２端部を含み、前記第１端部の一部が窪みを画定し、前記窪みが前記第１の形状と相補的な形状を有する第２背板アダプタを準備することを含む請求項２１の方法。
【請求項２３】
さらに、前記第２背板アダプタの窪みを前記第１背板アダプタの前記キャップ部との受け入れ関係に配置することと、前記第２背板アダプタを前記第１の方向に回転し、それにより、前記第１背板アダプタを前記シリンジプランジャに対して前記第１の方向に回転させることとを含む請求項２２の方法。
【請求項２４】
さらに、前記第１背板アダプタを前記シリンジプランジャとの受け入れ関係から脱離させるように移動することを含み、前記第１背板アダプタを前記シリンジプランジャとの受け入れ関係から脱離させるように移動することは、さらに、前記第１のねじを前記第２のねじから弛緩させることを含む請求項２３の方法。
【請求項２５】
前記第１のねじを前記第２のねじから弛緩させることは、さらに、前記第１背板アダプタを前記シリンジプランジャに対して第２の方向に回転させることを含み、前記第２の方向は前記第１の方向と反対である請求項２４の方法。
【発明の詳細な説明】
【技術分野】
【０００１】
本発明は、動物に液体を注射するための注射器一般、特に、注射器のシリンジプランジャ用背板アダプタに関する。
【背景技術】
【０００２】
多くの医療手順の間に、様々な液体が、診断または治療の目的で患者に注射される。そのような液体の１つの例は、血管造影またはＣＴ撮影を強化するために使用される造影剤である。これらの手順に使用される注射器は、シリンジからチューブを介して被験者に液体を吐出する自動化された装置である。
【０００３】
これらの用途に好ましい注射器は、比較的大きな容量のシリンジを有し、比較的大きな流量および射出圧力を生成できる必要がある。この理由で、そのような用途の注射器は、典型的には、大きい高容量射出モータおよび駆動列を含む。これらは、典型的には、床、壁または天井に取り付けたアームで支持された注射ヘッドに収容されている。
【０００４】
これらの注射器に使用されるシリンジは、一般に、中空の筒と、射出チップと、筒内に配置されるシリンジプランジャとを含む。これらの多くのシリンジプランジャの背面は背板によって形成される。背板は、一般に、シリンジプランジャを形成するラバーキャップを支持する第１の部分と、プランジャ駆動ピストンに係合可能な接続部材を含む第２の部分とを含む。多くの背板において、接続部材は、「ボタン」として参照される延長部であり、背板の背面から突出し、キャップ部が被せられたシャフト部からなる。シリンジプランジャを含み背板と係合した新しいシリンジが挿入されたとき、ボタンは、プランジャ駆動ピストンの先端に位置する係合顎のようなプランジャ接続部材と接触する。そして、これらの顎は、背板のボタンの周りにスナップ係合し、それにより、背板とシリンジプランジャとをプランジャ駆動ピストンに接続する。
【０００５】
多くの場合、例えば、予め充填されたシリンジの容積を低減するために、背板にアダプタを付加する必要がある。米国特許第４６３６１９８号に示された１つの実施形態では、これは、シリンジプランジャボタンを把持するために第１の端部に顎を有する背板アダプタと、その第２の端部のプランジャ駆動ピストンによって把持される同様のボタンとからなる。そのようなアダプタの他の実施形態も知られている。例えば、シリンジプランジャの背面は、しばしば、背板アダプタの第１の端部に位置する相補的なねじに咬合するねじである。そして、ねじに咬合し、背板アダプタをねじが切られたシリンジプランジャに対して回転させることにより、背板アダプタは、シリンジプランジャに挿入される。これは、しばしば、シリンジの筒の中に既に配置されたシリンジプランジャに行われる。このため、取り付けの最中、取り付けられている背板アダプタの大部分は、シリンジ筒の中に配置され得る。結果として、背板アダプタをシリンジプランジャに適切に接続するために、ユーザは、背板アダプタを回転させるためにボタンを把持しなければならない。しかしながら、ボタンは、小さく手で操作するのは難しい場合がある。歴史的に、背板アダプタのボタンのキャップ部は、円形である。ボタンのこの形状と大きさは、背板アダプタをシリンジプランジャに締結または弛緩することを非常に難しくする。
【０００６】
加えて、背板アダプタをシリンジ筒の中に伸ばし、回転し、それにより、背板アダプタをシリンジプランジャに締結または弛緩することの難しさにより、ボタンを把持し、背板アダプタを回転させる工具が開発されている。しかしながら、上述のように、歴史的にボタンは円形をしており、それによって、工具を使用しても把持が難しい。さらに、工具はシリンジおよび注射システムと別々のままであり、これにより、取り違えやすい。
【発明の開示】
【発明が解決しようとする課題】
【０００７】
以上に鑑みて、たとえ背板アダプタがシリンジの筒の中に配置されているときでも、容易にシリンジプランジャへの機械的締結または弛緩ができる背板アダプタを提供することが望ましい。さらに、分離された工具を使用することなく締結または弛緩できる背板アダプタを提供することが望ましい。この背景を考慮して、本発明の概要説明を開始する。
【課題を解決するための手段】
【０００８】
本発明は、１つの局面では、背板アダプタのシリンジプランジャへの機械的な締結または弛緩を促進する六角形のような非円形を呈するキャップ部を有するボタン延長部を含む背板アダプタを提供することにより、上述の欠点を克服する。さらに、背板アダプタは、ボタンと反対側の背板の端部に、同じまたはほぼ同じ六角形のような非円形を有する窪みを含んでもよい。これにより、複数の背板アダプタを設けたとき、１つの背板アダプタの窪みを使用して他の背板アダプタのキャップ部に係合し、１つの背板アダプタを、他の背板アダプタをシリンジプランジャに組み付けまたは解体する工具として使用できる。アダプタの本体部の寸法は、例えば直径はボタンよりも大きくてもよい。これは、本体を把持する際、工具としてのアダプタの使用を助ける。背板アダプタは、使い捨てであってもよく、それ故、一般に、単一の背板アダプタより多数の注文がある。よって、この筋書きでは、ユーザが少なくとも１つの背板アダプタを有する限り、ユーザは、他の背板アダプタをシリンジプランジャに取り付けおよび取り外しする工具を有する
【０００９】
特に、本発明は、第１端部と第２端部とを含むシリンジプランジャ用背板アダプタを含む。背板アダプタの第１端部は、シリンジプランジャに係合するのに適する。第１端部の一部は窪みを画定する。背板アダプタの第２端部は、それから突出する延長部を含む。この延長部はシャフト部とキャップ部とを含む。延長部の長手方向の軸に対して横断方向のキャップ部の断面は、六角形のような第１の形状を有する。窪みは、第１の形状と相補的な形状を有する。窪みの形状は、それ故、キャップ部の第１形状と同一または実質的に同じでもよい。これにより、窪みも第１形状を有してもよい。
【００１０】
上述のように、背板アダプタは、概して複数の背板アダプタとして提供されるので、本発明は、他の局面では、それぞれ、窪みおよび延長部を含む第１および第２端部を有する第２背板アダプタを含んでもよい。第２背板アダプタの窪みは、上述のような、第１背板アダプタのキャップ部の第１の形状と相補的な形状を有する。よって、第２背板アダプタの窪みは、第１の形状を有してもよい。同様に、第２背板アダプタの延長部は、シャフト部およびキャップ部を含み、第２背板アダプタのキャップ部の横断方向断面も、第１形状のような相補的な形状を有してもよい。
【００１１】
他の局面において、本発明は、さらに、上述のような背板アダプタまたは複数の背板アダプタを有する注射システムを含む。そのような注射システムは、より詳しくは、筒を含むシリンジと、筒の中に配置されるのに適したシリンジプランジャと、シリンジプランジャと係合するのに適した第１端部およびそれから突出した延長部を含む第２端部を有する第１背板アダプタとを含む。背板アダプタの第１端部の少なくとも一部は、窪みを画定する。延長部は、シャフト部およびキャップ部を含み、キャップ部の断面は第１形状を有する。注射システムは、また、一端に窪みを含む第２背板アダプタを含み、窪みは、第１形状と相補的な形状を有する。
【００１２】
複数の背板アダプタの使用により、本発明は、また、シリンジプランジャに対して、背板アダプタを操作可能に接続または背板アダプタを取り外す方法を含む。背板アダプタをシリンジプランジャに操作可能に接続する方法は、以下のステップを含む。先ず、上述の第１背板アダプタを、第１背板アダプタのねじがシリンジプランジャのねじに並んで咬合するように、シリンジプランジャの近傍に配置する。次に、上述の第２背板アダプタを用い、六角形のキャップ部のような、第１背板アダプタの第２端部の延長部のキャップ部と係合する工具として第２背板アダプタの第１端部の窪みを使用する。一度、窪みが延長部のキャップ部に係合すると、第２背板アダプタをシリンジプランジャに対して回転させ、それにより、第１背板アダプタをそのねじがシリンジプランジャのねじに咬合するように協調して回転させる。第１背板アダプタをシリンジプランジャから取り外す方法は、第２背板アダプタを反対方向に回転させ、第１背板アダプタがシリンジプランジャから脱離するように、第１背板アダプタを反対方向に協調して回転させることを含む。
【００１３】
本発明の利点は、以下の詳細な説明および本願に添付した図面と併せて、当業者には明らかとなる。
【発明を実施するための最良の形態】
【００１４】
図面を参照すると、本発明は、１つの局面において、非円形形状を有するキャップ部１６を含む、延長部１２としても参照されるボタンを含む背板アダプタ１０を提供する。非円形形状は、背板アダプタ１０をシリンジプランジャ２０に対して機械的に締結または弛緩させることを促進する。さらに、背板アダプタ１０は、延長部１２の反対側の背板アダプタ１０の端部に、同じまたはほぼ同じ、六角形のような、非円形形状を有する窪み２２を含んでもよい。これにより、複数の背板アダプタを設けたとき、第２背板アダプタ１０’は、第２背板アダプタ１０’の窪み２２’を使用して第１背板アダプタ１０のキャップ部１６に係合させることで、第１背板アダプタ１０をシリンジプランジャに対して組み付けまたは分解する工具として使用できる。背板アダプタは、使い捨てであってもよく、それにより、通常、単一の背板アダプタより多くの数量が発注されてもよい。よって、上述の筋書きでは、ユーザが少なくとも１つの余分な背板アダプタを有する限り、ユーザは、他の背板アダプタをシリンジプランジャに設置または取り外しするための工具を有する。背板アダプタは使い捨てであってもよいが、それらはシリンジの中の液体と接触せず、それ故、殺菌する必要がないので、再使用してもよい。
【００１５】
特に、図１Ａ−２Ｂを参照すると、本発明は、第１端部２６および第２端部２８を含む背板アダプタ１０を含む。背板アダプタ１０の第１端部２６は、シリンジプランジャ２０と係合するのに適する（図４参照）。第１端部２６の一部は、窪み２２を画定する。背板アダプタ１０の第２端部２８は、それから突出する延長部１２を含む。この延長部１２は、シャフト部１４およびキャップ部１６を含む。図１Ｃを参照すると、この第２端部２８のキャップ部１６の、背板アダプタ１０の長手方向の軸４０を横断してとった断面３０は、第１の形状１８を有する。それ故、窪み２２の形状２４は、キャップ部１６の断面３０の第１の形状１８と同じまたは実質的に同じであってもよい。よって、窪み２２も、第１の形状１８を有してもよい。窪み２２とキャップ部１６との相対的な大きさは、差があってもよい。
【００１６】
図１Ａおよび図２Ａを参照すると、背板アダプタ１０の第２端部２８は、延長部１２を含む。背板アダプタ１０の第２端部の延長部１２は、シャフト部１４およびキャップ部１６を含む。キャップ部１６は、第１の形状１８を呈する。より詳しくは、背板アダプタ１０の長手方向の軸４０を横断してとったキャップ部１６の断面３０は、第１の形状１８を呈する。この第１の形状１８は、例えば、四角形、正方形、長方形、台形、五角形、六角形、または八角形であってもよい。キャップ部１６の第１の形状は、上に具体的に列挙したものと異なる形状であってもよいことは、当業者には自明である。
【００１７】
今、図１Ｂおよび２Ｂを参照すると、背板アダプタ１０の第１端部２６は、少なくとも１つの窪み２２を画定する壁３２を含む。より詳しくは、図示した実施形態において、壁３２は、背板アダプタ１０の第１端部２６で延伸し、内壁面３４および外壁面３６を含む。内壁面３４は、窪み２２の外側の境界の部分を画定する。図１Ｄを参照すると、壁３２および窪み２２を含む、背板アダプタ１０の長手方向の軸を横断してとった、第１端部２６の部分の断面は、キャップ部１６の第１の形状１８と相補的な形状２４を呈する。窪み２２の相補的形状２４は、キャップ部１６の第１の形状１８と同じまたは実質的に同じであってもよい。相補的形状２４は、四角形、正方形、長方形、台形、五角形、六角形、または八角形であってもよい。窪み２２の相補的形状２４は、上に具体的に列挙したものと異なる形状であってもよいことは、当業者には自明である。
【００１８】
図１Ａ−２Ｂを参照すると、背板アダプタ１０の第１端部２６の凹部２２と、背板アダプタ１０の第２端部２８の延長部１２のキャップ部１６とは、いずれも、図示した実施形態では、同じ第１の形状１８を呈する。窪み２２およびキャップ部１６の形状２４，１８は相補的であり、同じまたは実質的に同じであってもよい一方で、窪み２２とキャップ部１６とは、同じ大きさ（つまり、それらの断面が同じ面積を呈する）である必要はないが、同じ大きさであってもよい。図示した実施形態では、窪み２２の第１の形状１８は第１の大きさであり、キャップ部１６の相補的形状２４は第２の大きさである。
【００１９】
より詳しくは、背板アダプタ１０の長手方向の軸を横断してとった第１端部２６の部分の断面３８は第１の面積４４を呈し、背板アダプタ１０の長手方向の軸を横断してとったキャップ部１６の断面３０は第２の面積４６を呈する。１つの実施形態では、第１の面積４４は、前記第２の面積と異なる大きさである。典型的には、第１の面積は、第２の面積より大きくてもよい。代案となる実施形態では、第１の面積４４は、第２の面積４６と実質的に等しい。
【００２０】
上述のように、背板アダプタは、概して、複数の背板アダプタとして提供されるので、異なる局面において、本発明は、それぞれ、窪み２２’および延長部１２’を含む第１および第２端部２６’，２８’を有する第２背板アダプタ１０’を含んでもよい（図３参照）。図示した実施形態では、第２背板アダプタ１０’の窪み２２’は、上述の第１背板アダプタ１０のキャップ部１６の第１の形状１８と相補的な形状２４’を有する。このため、第２背板アダプタ１０’の窪み２２’は、第１の形状１８を有してもよい。同様に、第２背板アダプタ１０’の延長部１２’は、シャフト部１４’およびキャップ部１６’を含み、第２背板アダプタ１０’のキャップ部１６’の横断方向断面３０’（図３Ａ）は、第１の形状１８のような、相補的な形状２４’を有してもよい。
【００２１】
図１Ａ−３を参照すると、本実施形態の図示した実施形態の複数の背板アダプタは、より詳しくは、第１背板アダプタ１０と第２背板アダプタ１０’とを含む。第１背板アダプタ１０は、第１端部２６および第２端部２８を含み、第２端部２８は、それから突出する延長部１２を含む。この延長部１２は、シャフト部１４およびキャップ部１６を含む。第２背板アダプタ１０’は、第１端部２６’および第２端部２８’を含む。第２背板アダプタ１０’の第１端部２６の一部は、窪み２２’を画定する。第１端部２６’によって画定された窪み２２’は、第１背板アダプタ１０のキャップ部１６の第１の形状１８と相補的な形状２４’を有する。窪み２２’の形状２４’は、キャップ部１６の第１の形状１８と同じまたは実質的に同じであってもよい。このため、１つの実施形態では、窪み２２’およびキャップ部１６はいずれも第１の形状１８を有してもよい。この第１の形状１８は、例えば、四角形、正方形、長方形、台形、五角形、六角形、または八角形であってもよい。第１の形状１８は上に具体的に列挙したものと異なる形状であってもよいことは、当業者には自明である。
【００２２】
上述のように、第２背板アダプタ１０’の窪み２２は、第１の形状１８と相補的な形状２４’をなす。第２背板アダプタ１０’の窪み２２’のこの相補的な形状２４’を形成するために、第２背板アダプタ１０’の第１端部２６’は、窪み２２’を画定する少なくとも１つの壁３２’を含む。より詳しくは、図示した実施形態において、壁３２’は、第２背板アダプタ１０’の第１端部２６’で延伸し、内壁面３４’および外壁面３６’を含む。内壁面３４’は、窪み２２’を画定の外側の境界の部分を画定する。第２背板アダプタ１０’の、壁３２’および窪み２２’を含む第１端部２６’の部分の、第２背板アダプタ１０’の長手方向の軸４０’を横断してとった断面３８’（図３Ｂ）は、相補的な形状２４’を呈する。特に、使用に際し、第１および第２背板アダプタ１０，１０’は、第１背板アダプタ１０のキャップ部１６が第２背板アダプタ１０’の窪み２２’に受け入れられて、互いに係合するのに適する。よって、第１および第２背板アダプタ１０，１０’の互いの係合において、第１背板アダプタ１０の、第２背板のアダプタ１０’上での協動した回転を可能にするいかなる相補的な形状も事足りることが、当業者には自明である。それ故、ある実施形態において、相補的な形状はそれぞれ非円形であってもよい。このため、窪みおよびキャップ部の相補的な形状は、それぞれ、第１および第２背板アダプタ１０，１０’の協動した回転を可能にする少なくとも１つの角エッジ４８のような、少なくとも１つの非円形部分を含む。
【００２３】
キャップ部１６の第１の形状１８および窪み２２’の形状２４’は、相補的であり、同じまたは実質的に同じである一方で、窪み２２’およびキャップ部１６が同じ大きさである必要はないが、同じ大きさであってもよい。図示した実施形態において、第２背板アダプタ１０’の窪み２２’の形状２４’は、第１の大きさであり、第１背板アダプタ１０のキャップ部１６の第１の形状１８は、第２の大きさである。第２背板アダプタ１０’の窪み２２’および第１背板アダプタ１０のキャップ部１６は、互いに係合するのに適する。上述のように、窪みおよびキャップ部の相対的な大きさは、異なってもよい。しかしながら、第２背板アダプタ１０’は第１背板アダプタ１０を回転させる工具として使用されるので、大きさは、第１および第２背板アダプタ１０，１０’が係合したときに協動して回転するように、窪み２２’およびキャップ部１６が互いに係合して機能するような違いがあるだけであってもよいことは、当業者には自明である。
【００２４】
窪み２２’およびキャップ部１６の相対的な大きさについて、より詳しくは、第１端部２６’の長手方向の軸を横断したとった第１端部２６’の部分の断面３８’は、第２背板アダプタ１０’の窪み２２’の第１の面積４４’を呈する。延長部１２の長手方向の軸を横断してとった第１背板アダプタ１０のキャップ部１６の断面３０は、第２の面積４６を呈する。１つの実施形態において、第１の面積４４’は、前記第２の面積４６より大きくてもよい。代案の実施形態では、第１の面積４４’は、第２の面積４６と実質的に等しくてもよい。第１の面積４４’と第２の面積４６との相対的な大きさは、上述の相補的な形状１８，２４’のように、係合および／または第１および第２背板アダプタ１０，１０’の協動した回転を可能にする。
【００２５】
第２背板アダプタ１０’の第１端部２６’のように、第１背板アダプタ１０の第１端２６は、第１背板アダプタ１０のキャップ部１６の第１端部１８の第１の形状１８と相補的な形状２４を有する窪み２２を画定してもよい。図示した実施形態において、第１背板アダプタ１０の窪み２２は、第１の形状１８を有する。よって、第１端部２６は、少なくとも１つの窪み２を画定する壁を含んでもよい。より具体的には、壁３２は、第１背板アダプタの第１端部において延伸し、内壁面３４および外壁面３６を含む。内壁面３４は、窪み２２の外側の境界を画定する。第１背板アダプタ１０の長手方向の軸を横断してとった、第１背板アダプタ１０の壁３２および窪み２２を含む第１端部２６の部分の断面は、第１の形状１８を呈する。
【００２６】
第１背板アダプタ１０の第１端部２６は、シリンジプランジャ２０と係合するのに適する。図示した実施形態において、第１背板アダプタ１０の第１端部２６は、ねじ５０を含む。これらのねじ５０は、シリンジプランジャ２０の背面５４に配設したねじ５２に相補的である。第１背板アダプタ１０とシリンジプランジャ２０とは、第１背板アダプタ１０のねじ５０をシリンジプランジャ２０の相補的なねじ５３に螺合することによって互いに係合してもよい。第１背板アダプタ１０のものと同様に、第２背板アダプタ１０’の第１端部２６’もまた、プランジャに係合するのに適している。図示した実施形態において、第２背板アダプタ１０’の第１端部２６’は、ねじ５０’を含む。これらのねじ５０’は、シリンジプランジャ２０に配設した相補的なねじ５２に螺合するのに適している。図示した実施形態では、より詳しくは、第１背板アダプタ１０の第１端部２６はその外面に外ねじ５０を含み、シリンジプランジャ２０は内ねじ５２を有する穴５１を含む。この穴５１およびねじ５２は、第１端部２６および外ねじ５０を受け入れる。しかしながら、それは単なる例示の構成であって、他の構成が本発明の原則に矛盾しないことは、当業者には自明である。例えば、背板アダプタの第１端部は、内ねじを有する穴を含み、シリンジプランジャの背面が外ねじを有する突起を含んでもよい。
【００２７】
第１背板アダプタ１０のように、第１背板アダプタ１０’は、その第２端部２８’に延長部１２’を含んでもよい。第２背板アダプタ１０’の第２端部２８’の延長部１２’は、シャフト部１４’およびキャップ部１６’を含む。キャップ部１６’も、第１背板アダプタ１０のキャップ部１６の第１の形状１８と相補的な形状１８’を有してもよい。より詳しくは、第２背板アダプタ１０’の長手方向の軸４０’を横断してとった、キャップ部１６’の断面３０’は、相補的な形状１８’を呈する。
【００２８】
今、図４−６を参照すると、本発明は、さらに、上述のような背板アダプタまたは複数の背板アダプタを有する注射システム５６を含む。そのような注射システム５６は、より詳しくは、筒６０を含むシリンジ５８と、筒６０の中に配設されるのに適したシリンジプランジャ２０と、シリンジプランジャ２０と係合するのに適した第１端部２６およびそれから突出する延長部１２を含んだ第２端部２８有する第１背板アダプタ１０とを含む。延長部１２は、シャフト部１４およびキャップ部１６を含み、キャップ部１６の断面３０は第１の形状１８を有する。少なくとも背板アダプタの第１端部２６の一部は、窪み２２を画定する。第１端部２６により画定された窪み２２は、第１の形状１８と相補的な形状２４を有してもよい。窪み２２の形状２４は第１の形状１８であってもよい。
【００２９】
当業者にはよく知られているように、図４を参照すると、シリンジ５８は、その前端６２が円錐前壁部６４と一体の、外側の円筒形の筒６０または本体を含む。送出チップ６８を終端する首部６６は、前壁から前方に延伸し、前壁と一体である。送出チップ６８の首部６６は、その遠隔端７２内に、シリンジ５８の首部６６、円錐前壁および円筒形の筒６０の中に形成された内部シリンジキャビティ７４と連絡するオリフィス７０を収容する。キャビティ７４の後端７６は、さらに、シリンジプランジャ２０の前向き円錐面７８によって画定される。円錐面７８は、円錐前壁の内側の傾斜に合致するように傾斜している。シリンジプランジャ７８は、キャビティ７４の容積が可変するように、シリンジケースの本体の中にぴったりと合ってスライド可能である。シリンジプランジャ２０の後ろ向きの側は、図示するように、ねじ５２を含む。これらのねじ５２は、背板とシリンジプランジャ２０とが互いに係合するように、背板に配設したねじ５０と螺合する。
【００３０】
依然として図４−６を参照すると、注射システム５６は、さらに、第２背板アダプタ１０’を含んでもよい。複数の背板アダプタについて上述したように、第２背板アダプタ１０’は、それぞれ窪み２２’および延長部１２’を含む第１および第２端部２６’，２８’を含む。図示した実施形態では、窪み２２’は、第１背板アダプタ１０のキャップ部１６の第１の形状１８と相補的な形状２４’を有する。よって、第２背板アダプタ１０’の窪み２２’は、第１の形状１８を有してもよい。同様に、第２背板アダプタ１０’の延長部１２’は、シャフト部１４’およびキャップ部１６’を含み、第２背板アダプタ１０’のキャップ部１６’の断面３０’も、第１の形状１８のような相補的な形状１８’を有してもよい。
【００３１】
第２背板アダプタ１０’の窪み２２’に相補的な形状２４’を形成するために、第２背板アダプタ１０’の第１端部２６’は、少なくとも１つの窪み２２’を画定する壁３２’を含む。より詳しくは、図示した実施形態では、壁３２’は、第１背板アダプタ１０’の第１端部２６’において延伸し、内壁面３４’および外壁面３６’を含む。内壁面３４’は、窪み２２’の外側の境界の部分を画定する。壁３２’および窪み２２’を含む第２背板アダプタ１０’の第１端部２６’の、第２背板アダプタ１０’の長手方向の軸４０’を横断してとった断面３８’は、相補的な形状２４’を呈する。形状２４’は、例えば、四角形、正方形、長方形、台形、五角形、六角形、または八角形であってもよい。窪み２２’の形状２４’は、上に具体的に列挙したものと異なる形状であってもよいことは、当業者には自明である。
【００３２】
使用に際し、第１および第２背板アダプタ１０，１０’は、第１背板アダプタ１０のキャップ部１６が第２背板アダプタ１０’の窪み２２’に受け入れられて、互いに係合するのに適している。よって、第１および第２背板アダプタ１０，１０’の互いの係合において、第２背板のアダプタ１０’の回転の上での第１背板アダプタ１０の協動した回転を可能にするいかなる相補的な形状２４’，１８も事足りることが、当業者には自明である。このため、ある実施形態では、相補的な形状は、それぞれ、第１および第２背板アダプタ１０，１０’の協動した回転を可能にする少なくとも１つの角エッジ４８のような、少なくとも１つの非円形部分を含んでもよい。
【００３３】
図１−６を参照すると、キャップ部１６の第１の形状１８および窪み２２’の形状２４’は、相補的であり、同じまたは実質的に同じである一方で、窪み２２’とキャップ部１６とは同じ大きさである必要はないが、同じ大きさであってもよい。図示した実施形態において、第２背板アダプタ１０’の窪み２２’の形状２４’は第１の大きさであり、第１背板アダプタ１０のキャップ部１６の形状１８は第２の大きさである。第２背板アダプタ１０’の窪み２２’および第１背板アダプタ１０のキャップ部１６は、互いに係合するのに適している。上述のように、窪みとキャップ部との相対的な大きさは、異なってもよい。しかしながら、第２背板アダプタ１０’は第１背板アダプタを回転させる工具として使用されるので、大きさは、第１および第２背板アダプタ１０，１０’が係合時に協動して回転できるように、それらが互いに係合できるような違いだけが可能であることは、当業者には自明である。
【００３４】
窪み２２’およびキャップ部１６の大きさに関してさらに詳しくは、第２端部２６’の長手方向の軸４０’を横断してとった、１端部２６’の部分の断面３８’は、第２背板アダプタ１０’の窪み２２’の第１の面積４４’を呈する。延長部１２の長手方向の軸を横断してとった、第１背板アダプタ１０のキャップ部１６の断面３０は、第２の面積４６を呈する。１つの実施形態において、第１の面積４４’は、前記第２の面積４６と異なる。特に、第１の面積４４’は、前記第２の面積４６より大きくてもよい。代案の実施形態では、第１の面積４４’は、実質的に第２の面積４６と等しい。第１の面積４４’と第２の面積４６との相対的な大きさは、上述の相補的な形状２４’，１８のように、第１および第２背板アダプタ１０，１０’の係合および／または協動した回転を可能にするようなものである。
【００３５】
第２背板アダプタ１０’の第１端部２６’のように、第１背板アダプタ１０の第１端部２６は、第１背板アダプタ１０のキャップ部１６の第１の形状１８と相補的な形状２４を有する窪み２２を画定する。図示した実施形態において、第１背板アダプタ１０の窪み２２は、第１の形状１８を有する。よって、第１端部２６は、窪み２２を画定する少なくとも１つの壁３２を含む。より詳しくは、壁３２は、背板アダプタの第１端部２６において延伸し、内壁面３４および外壁面３６を含む。内壁面３４は、窪み２２の外側境界の一部を画定する。第１背板アダプタ１０の壁３２および窪み２２を含む、第１背板アダプタ１０の長手方向の軸４０を横断してとった、第１端部２６の部分の断面３８は、形状２４を呈する。
【００３６】
第１背板アダプタ１０の第１端部２６は、シリンジプランジャ２０と係合するのに適する。図示した実施形態において、第１背板アダプタ１０の第１端部は、ねじ５０を含む。ねじ５０は、シリンジプランジャ２０の背面に配設したねじ５２と相補的である。第１背板アダプタ１０およびシリンジプランジャ２０は、第１背板アダプタ１０のねじ５０がシリンジプランジャ２０の相補的なねじ５２と螺合することによって互いに係合する。第１背板アダプタ１０にあるように、第２背板アダプタ１０’の第１端部２６’は、プランジャと係合するのに適してもよい。図示した実施形態において、第２背板アダプタ１０’の第１端部２６’は、ねじ５０’を含む。これらのねじ５０は、シリンジプランジャ２０に配設した相補的なねじ５２に螺合するのに適する。上述のように、図示した実施形態で示したねじの構成は、単なる例示である。
【００３７】
第１背板アダプタ１０のように、第２背板アダプタ１０’は、その第２端部２８’に延長部１２’を含んでもよい。第２背板アダプタ１０’の第２端部２８’の延長部１２’は、シャフト部１４’およびキャップ部１６’を含む。キャップ部１６’もまた、第１背板アダプタ１０のキャップ部１６の第１の形状１８と相補的な形状１８’を有してもよい。より詳しくは、第２背板アダプタ１０’の長手方向の軸４０’を横断してとったキャップ部１６’の断面３０’は、この相補的な形状１８を呈する。図示した実施形態では、第２背板アダプタ１０’のキャップ部１６’は、第１の形状１８を有する。
【００３８】
今、図７を参照すると、本発明は、１つの実施形態において、手動注射手順に使用されるのに適する背板アダプタ１０”を含んでもよい。特に、図７の図示した実施形態の背板アダプタ１０”は、第１端部２６”および第２端部２８”を含む。背板アダプタ１０”の第１端部２６”は、シリンジプランジャ２０”と係合するのに適する（図４参照）。第１端部２６”の一部は、窪み２２”を画定する。背板アダプタ１０”の第２端部２８”は、そこから突出する延長部１２”を含む。本発明のこの実施形態において、延長部１２”は、延長プッシュロッド部８０およびキャップ部１６”を含む。一度、この背板アダプタ１０”がシリンジプランジャ２０”に係合すると、少なくともキャップ部１６”、そして通常は、プッシュロッド部８０の一部がシリンジ筒の後端から延伸し、シリンジから液体を射出するためにオペレータの手で押される。
【００３９】
これら複数の背板アダプタの使用により、本発明は、また、背板アダプタをシリンジプランジャに操作可能に接続、または、背板アダプタをシリンジプランジャ２０から取り外す方法をも含む。背板アダプタをシリンジプランジャ２０に操作可能に接続するこの方法は、以下のステップを含む。第１に、図４−６を参照すると、第１背板アダプタ１０は、第１背板アダプタ１０のねじ５０がシリンジプランジャ２０のねじ５２に並び、螺合するように、シリンジプランジャ２０の近傍に配置される。図示した実施形態において、第１背板アダプタ１０は、第１端部２６および第２端部２８を有する。第１背板アダプタ１０の第１端部６の少なくとも一部は、窪み２２を画定する。第２端部２８は、そこから突出する延長部１２を含む。延長部１２はシャフト部１４およびキャップ部１６を含み、キャップ部１６の断面３０は第１の形状１８を有する。第１端部２６によって画定された窪み２２は、第１の形状１８と相補的な形状２４を有する。窪み２２の形状２４は、第１の形状１８であってもよい。
【００４０】
続いて、上述のように、１つは第２背板アダプタ１０’を用い、第２背板アダプタ１０’の第１端部２６’の窪み２２’を、第１背板アダプタ１０の第２端部２８の延長部１２のキャップ部１６と係合する工具として使用する。上述の、そして、図示した実施形態に示されるように、この第２背板アダプタ１０’は、プランジャと係合するのに適した第１端部２６’を含み、第１端部２６’の一部は窪み２２’を画定する。第１端部２６’により画定された窪み２２’もまた、第１背板アダプタ１０のキャップ部１６の第１の形状１８と相補的な形状２４’を有する。第２背板アダプタ１０’は、さらに、そこから突出する延長部１２’を有する第２端部２８’を含む。延長部１２’は、シャフト部１４’およびキャップ部１６’を含み、延長部１２’の長手方向の軸を横断してとったキャップ部１６’の断面３０’もまた、相補的な形状１８’を有してもよい。
【００４１】
例えば、窪み２２’の形状２４’およびキャップ部１６の第１の形状１８がいずれも六角形であれば、第２背板アダプタ１０’の窪み２２’の形状２４’は、第１背板アダプタ１０の六角形のキャップ部１６と係合する六角工具として使用される。一度、第２背板アダプタ１０’の窪み２２’が第１背板アダプタ１０の延長部１２のキャップ部１６と係合すると、第２背板アダプタ１０’は、シリンジプランジャ２０に対して回転させられ、それにより、そのねじ５０がシリンジプランジャ２０の相補的なねじ５２に螺合するように、第１背板アダプタ１０を協動して回転させる。
【００４２】
この方法において、図示した実施形態に示すように、第１背板アダプタ１０の第１端部２６は第１のねじ５０を含み、シリンジプランジャ２０の一部は第２のねじ５２を含む。第１のねじ５０は、第２のねじ５２に適合し、第１背板アダプタ１０をシリンジプランジャ２０と結合させるように配置するステップは、第１のねじ５０を第２のねじ５２に螺合させることを含む。第１のネジ５０の第２のねじ５２との螺合は、第１のネジ５０および第２のねじ５２を互いの受け入れ関係に配置することと、第１背板アダプタ１０をシリンジプランジャ２０に対して第１の方向に回転することとを含む。
【００４３】
本発明の方法は、さらに、第２背板アダプタ１０’の窪み２２’を第１背板アダプタ１０のキャップ部１６との受け入れ関係に配置することと、第２背板アダプタ１０’を第１の方向に回転し、それにより、第１背板アダプタ１０をシリンジプランジャ２０に対して第１の方向に協動して回転させることとを含む。
【００４４】
シリンジプランジャ２０から背板を取り外すとき、その方法は、第１背板アダプタ１０の使用を含み、第１背板アダプタ１０の第１端部２６は第１のねじ５０を含み、シリンジプランジャ２０の一部は第２のねじ５２を含む。第１のねじ５０は、第２のねじ５２に適合する。第１背板アダプタ１０のシリンジプランジャ２０との結合から脱離させる動きは、さらに、第１のねじ５０を第２のねじ５２から弛緩させることを含む。第１のねじ５０を第２のねじ５２からの弛緩は、さらに、第１背板アダプタ１０をシリンジプランジャ２０に対して上述の第１の方向と反対の方向に回転させることを含む。
【００４５】
上述のように、第１背板アダプタ１０は、第１端部２６および第２端部２８を含む。第１背板アダプタ１０の第１端部２６の少なくとも一部は、窪み２２を画定する。第２端部２８は、そこから突出する延長部１２を含む。延長部１２は、シャフト部１４およびキャップ部１６を含むみ、キャップ部１６の断面３０は、第１の形状１８を含む。第１端部２６によって画定された窪み２２は、第１の形状１８塗装補的な形状２４を有する。窪み２２の形状２４は、第１の形状１８であってもよい。
【００４６】
本発明の方法は、さらに、シリンジプランジャ２０と結合するのに適した第１端部２６’と、窪み２２’を定める第１端部２６’の部分と、そこから突出する延長部１２’を含む第２端部２８’とを含んだ第２背板アダプタ１０’を含む。延長部１２’は、シャフト部１４’およびキャップ部１６’を含み、延長部１２’の軸を横断してとったキャップ部１６’の断面３０’もまた、相補的な形状１８’を有してもよい。第１端部２６’によって画定された窪み２２’もまた、第１背板アダプタ１０のキャップ部１６の第１の形状１８と相補的な形状２４’を有する。
【００４７】
この方法は、さらに、第２背板アダプタ１０’の窪み２２’を第１背板アダプタ１０のキャップ部１６との受け入れ関係に配置することと、第２背板アダプタ１０’を第１の方向と反対の方向に回転し、それにより、第１背板アダプタ１０をシリンジプランジャ２０に対して第１の方向と反対の方向に協動して回転させることとを含む。
【００４８】
さらなる利点および改良は、当業者には容易に想到される。本発明は、それ故、広い解釈において、特定の詳細、代表的な装置および方法、並びに、図示して説明した説明例に限定されない。従って、そのような詳細からの脱離が、出願人の一般的発明概念の範囲および精神から逸脱することなくなされてもよい。
【図面の簡単な説明】
【００４９】
【図１Ａ】本発明の原則に従う背板アダプタの１つの実施形態の、延長部を含む背板アダプタの端部を示す斜視図。
【図１Ｂ】本発明の原則に従う図１Ａの背板アダプタの、窪みを含む背板アダプタの端部を示す斜視図。
【図１Ｃ】図１Ａの実施形態の、図１Ａの１Ｃ−１Ｃ線に沿った概略断面図。
【図１Ｄ】図１Ａの実施形態の、図１Ｂの１Ｄ−１Ｄ線に沿った概略断面図。
【図２Ａ】本発明の原則に従う背板アダプタの延長部のキャップ部の端面図。
【図２Ｂ】本発明の原則に従う図２Ａの背板アダプタの１つの実施形態の窪みの端面図。
【図３】本発明の原則に従う、互いに係合する第１および第２背板アダプタの部分断面図。
【図３Ａ】図１Ａの実施形態の図３の３Ａ−３Ａ線に沿った概略断面図。
【図３Ｂ】図１Ａの実施形態の図３の３Ｂ−３Ｂ線に沿った概略断面図。
【図４】本発明の背板アダプタとともに使用するシリンジおよびシリンジプランジャの、シリンジプランジャの後部のねじを示す部分断面図。
【図５】シリンジ、シリンジプランジャ、シリンジプランジャに係合するよう配置された本発明の原則に従う第１背板アダプタ、および、第１背板アダプタに係合するように使用可能な第２背板アダプタの部分断面図。
【図６】シリンジ、本発明の原則に従う第１背板アダプタと係合したシリンジプランジャ、および、第１背板アダプタと係合した第２背板アダプタの部分断面図。
【図７】本発明の原則に従う背板アダプタの１つの実施形態の、背板アダプタがプッシュロッドを有し、手動射出に使用されることを示す斜視図。
【図１Ａ】
2008531128.tif 000003
【図１Ｂ】
2008531128.tif 000004
【図１Ｃ】
2008531128.tif 000005
【図１Ｄ】
2008531128.tif 000006
【図２Ａ】
2008531128.tif 000007
【図２Ｂ】
2008531128.tif 000008
【図３】
2008531128.tif 000009
【図３Ａ】
2008531128.tif 000010
【図３Ｂ】
2008531128.tif 000011
【図４】
2008531128.tif 000012
【図５】
2008531128.tif 000013
【図６】
2008531128.tif 000014
【図７】
2008531128.tif 000015
【国際調査報告】
2008531128.tif 000016
2008531128.tif 000017
2008531128.tif 000018